(57)【要約】【課題】少量の漏水や結露による誤報を防止し、継続的な漏水などにより大きな被害になる可能性のある場合には事前に警報を発して対処することが可能な床下漏水検知装置を提供する。【解決手段】浴室１などの水廻り室の床下２に配設され漏水受け皿９内に漏水が所定量溜まった時点で漏水を検知するセンサ部１０と、センサ部１０からの信号を受信し警報を発する受信部１１とを備える床下漏水検知装置。【選択図】  図１
2004184101.tif 000002
【特許請求の範囲】
【請求項１】
水廻り室の床下に配設され漏水が所定量溜まった時点で漏水を検知するセンサ部と、このセンサ部からの信号を受信し警報を発する受信部とを備える床下漏水検知装置。
【請求項２】
漏水が所定量溜まった時点で漏水を検知するセンサ部が、漏水受け皿とフロートセンサとからなる請求項１記載の床下漏水検知装置。
【請求項３】
漏水が所定量溜まった時点で漏水を検知するセンサ部が、吸湿パッドと湿度センサとからなる請求項１記載の床下漏水検知装置。
【請求項４】
受信部が、浴室、台所又はトイレ周辺機器用のリモコンに組み込まれている請求項１〜請求項３のいずれかに記載の床下漏水検知装置。
【発明の詳細な説明】
【０００１】
【発明の属する技術分野】
本発明は、浴室、シャワー室、台所又はトイレ等の水廻り室の床下漏水を検知する装置に関する。
【０００２】
【従来の技術】
浴室の床下に水分検知手段を設置し、水分検知手段の検知出力を表示手段に表示して報知することにより、床下での漏水や結露などの発生状況を把握する住宅用の水分検知装置が知られている（例えば、特許文献１参照）。
【０００３】
しかし、図４に示すように特に部屋の床面が建屋床面と間隔を有して設置されるユニット式浴室やユニット式シャワー室等における床パンの床面下、又は台所などの床下には、温度、湿度などの条件により床パンの下面側や配管部分に結露を生じることがあり、水分検知手段を設けるだけでは、少量の結露などによる誤判定や誤報となる可能性を有していた。
【０００４】
【特許文献１】
特開平８−７７４７４号公報（第４頁、図１）
【０００５】
【発明が解決しようとする課題】
本発明は、少量の漏水や結露による誤報を防止し、継続的な漏水などにより大きな被害になる可能性のある場合には事前に警報を発して対処することが可能な床下漏水検知装置を提供しようとするものである。
【０００６】
【課題を解決するための手段】
（１）水廻り室の床下に配設され漏水が所定量溜まった時点で漏水を検知するセンサ部と、このセンサ部からの信号を受信し警報を発する受信部とを備える床下漏水検知装置。
（２）漏水が所定量溜まった時点で漏水を検知するセンサ部が、漏水受け皿とフロートセンサとからなる上記（１）記載の床下漏水検知装置。
（３）漏水が所定量溜まった時点で漏水を検知するセンサ部が、吸湿パッドと湿度センサとからなる上記（１）記載の床下漏水検知装置。
（４）受信部が、浴室、台所又はトイレ周辺機器用のリモコンに組み込まれている上記（１）〜（３）のいずれかに記載の床下漏水検知装置。
【０００７】
【発明の実施の形態】
本発明の床下漏水検知装置におけるセンサ部は、主としてユニット式の浴室、シャワー室又はトイレにおける床パン下方に配設される配管の下方と建屋床面との間、もしくは台所や洗面所等の水廻り室の床下に配設される。
漏水が所定量溜まった時点で漏水を検知するセンサ部を設けるため、少量の漏水や結露水はこれによる被害を阻止するため漏水受け皿で受けてこれに溜まるようにし、この漏水受け皿内に漏水が所定量溜まると漏水を検出して信号を発するフロートセンサを設けるようにする方式や、少量の漏水や結露水を吸湿パッドに吸収させ、吸湿パッドで吸収しきれない状態になった時点で湿度センサが水に接触して検出信号を発するようにするのが好ましい。
センサ部からの信号を受信し警報を発する受信部は、漏水専用のものを設けてもよいが、水廻り室の浴室や台所又はトイレ等の周辺機器である給湯機器、温水洗浄便器又は浴室乾燥機用などのリモコンに受信部を組み込んで、電源を周辺機器と共有して、電池を不要とするのが好ましい。
【０００８】
【実施例】
以下、本発明による床下漏水検知装置の実施例について、図１乃至図３を参照して具体的に説明する。
図１は本発明による床下漏水検知装置を浴室（ユニット式浴室）に適用した場合の実施例を示す断面図、図２は床下漏水検知装置の受信部を浴室、シャワー室、台所又はトイレ等の周辺機器である給湯機器のリモコンに組み込んだ実施例を示す説明図、図３は床下漏水検知装置におけるセンサ部の別実施例を示す斜視図である。
【０００９】
（実施例１）
図１において、１は、排水口６，６を備える床パン２、壁パネル３、天井パネル４で囲まれる室内に浴槽５が設置され、給湯設備として水栓７、シャワー８を備える浴室である。
浴室１の床パン２下面の下方には排水口６に接続した排水管などの配管が施される。
上記床パン２下方の建屋の床には、上記の配管部分からの漏水や、配管外周又は床パン２下面側に発生する結露水を受けるため漏水受け皿９を設け、この漏水受け皿９内に漏水を検知するフロートセンサからなるセンサ部１０を設ける。
そして、この実施例では、漏水受け皿９内に所定量（例えば、漏水が続いた場合にもすぐには漏水受け皿からオーバフローしない程度の量）の漏水が溜まるとフロートセンサからなるセンサ部１０のフロートが浮き上がって漏水を検出し、信号を発する。なお、センサ部１０の位置は調整により漏水の検出所定量を変更できるようにした。
１１は上記センサ部１０からの信号を受信して警報を発する受信部で、内部に電源として電池１２を有し、受信部１１とセンサ部１０とは電線１３で結ばれており、信号及び電力の伝達はこの電線１３を経由して行われる。
【００１０】
図１に示す受信部１１は、図２に示すように浴室や台所等の周辺機器としての給湯機器１４などのリモコン１５に組み込んで、電源を給湯機器１４と共有できるようにし、電池１２が不要となるようにした。
【００１１】
（実施例２）
図３に示すように、漏水を検知するセンサ部として、マット状の吸湿パッド１６と湿度センサからなるセンサ部１７を使用して、結露が直接当たらない位置に湿度センサからなるセンサ部１７を配置するとともに、少量の結露や漏水があった場合は吸湿パッド１６で吸収させ、漏水が所定量を超えた場合（例えば、吸湿パッド１６で吸収できなくなったとき）に初めて湿度センサからなるセンサ部１７に漏水が触れ、検出信号を発するようにした。
【００１２】
【発明の効果】
以上説明したように、本発明は、水廻り室の床下に配設され漏水が所定量溜まった時点で漏水を検知するセンサ部と、このセンサ部からの信号を受信し警報を発する受信部とを備える床下漏水検知装置であるから、少量の漏水や結露による誤報が防止できるとともに、継続的な漏水などにより大きな被害になる可能性のある場合には事前に警報を発するので対処することが可能となり、漏水による被害の小さいうちに処置を施すことができる。
【図面の簡単な説明】
【図１】本発明による床下漏水検知装置を浴室（ユニット浴室）に適用した実施例による断面図である。
【図２】漏水検知装置の受信部を浴室やシャワー室又は台所の周辺機器としての給湯機器用のリモコンに組み込んだ実施例を示す説明図である。
【図３】漏水を検知するセンサ部に、吸湿パッドと湿度センサからなるセンサ部を使用した実施例による斜視図である。
【図４】従来例によるユニット式浴室の構造を示す断面図である。
【符号の説明】
１  浴室                          ２  床パン
３  壁パネル                      ４  天井パネル
５  浴槽                          ６  排水口
７  水栓                          ８  シャワー
９  漏水受け皿                  １０  センサ部（フロートセンサ）
１１  受信部                      １２  電池
１３  電線                        １４  給湯機器
１５  リモコン                    １６  吸湿パッド
１７  センサ部（湿度センサ）
【図１】
2004184101.tif 000003
【図２】
2004184101.tif 000004
【図３】
2004184101.tif 000005
【図４】
2004184101.tif 000006